(57)【要約】【課題】表面部を平坦状にして面板に強度を持たせると共に、複数のパネルの面板同士の表面を平坦状にして、フィルムシート等の貼着を容易にし、また、面板の表面に雨水等が溜まるのを防止し、かつ、積み重ね状態からパネルの取り出しを容易にする防音パネルを提供する。【解決手段】略矩形状の面板１０の周辺に同一方向に折曲される折曲縁３１Ａを有し、面板１０のコーナー部２における折曲縁３２Ａを中間部の折曲縁３１Ａに対して高く形成する。面板１０のコーナー部２の上面に、面板同士が積み重ねられる際に、コーナー部２の折曲縁３２Ａに係合可能な係止突部２６を設ける。【選択図】    図１６
2008150799.tif 000002
【特許請求の範囲】
【請求項１】
略矩形状の面板の周辺に同一方向に折曲される折曲縁を有し、面板のコーナー部における折曲縁が中間部の折曲縁に対して高く形成され、
上記コーナー部の上面に、面板同士が積み重ねられる際に、上記コーナー部の折曲縁に係合可能な係止突部を有する、
ことを特徴とする防音パネル。
【請求項２】
請求項１記載の防音パネルにおいて、
上記面板の対向する辺における上記コーナー部の折曲縁に、係止用貫通孔を設けた、ことを特徴とする防音パネル。
【請求項３】
略矩形状の面板と、該面板のコーナー部を形成するコーナー部材とからなり、
上記面板は、切除されたコーナー部を除く周辺に同一方向に折曲される第１の折曲縁を有し、
上記コーナー部材は、隣接する両辺に上記第１の折曲縁より高く形成される第２の折曲縁と、固定手段を介して上記面板のコーナー部側面部の内面及び第１の折曲縁の内面に固定され、面板表面及び第１の折曲縁表面とコーナー部材の表面及び第２の折曲縁表面とを同一面上に保持する固定片と、を有すると共に、コーナー部材の表面に、面板同士が積み重ねられる際に、上記コーナー部材の第２の折曲縁に係合可能な係止突部を有する、
ことを特徴とする防音パネル。
【請求項４】
請求項３記載の防音パネルにおいて、
上記面板の対向する辺における上記コーナー部材の第２の折曲縁に係止用貫通孔を設けた、ことを特徴とする防音パネル。
【請求項５】
請求項１又は３記載の防音パネルにおいて、
上記面板は、該面板の表面中央から辺部に向かって下り勾配の傾斜を有する、ことを特徴とする防音パネル。
【請求項６】
請求項１ないし５のいずれかに記載の防音パネルにおいて、
上記面板は、熱可塑性ポリマ材料にて形成される、ことを特徴とする防音パネル。
【請求項７】
請求項１ないし６のいずれかに記載の防音パネルにおいて、
上記面板の表面に、反射防止のための表面処理が施されている、ことを特徴とする防音パネル。
【請求項８】
請求項１ないし７のいずれかに記載の防音パネルにおいて、
上記面板の折曲縁の先端部に補強用部材を被着してなる、ことを特徴とする防音パネル。
【請求項９】
請求項３又は４記載の防音パネルにおいて、
上記コーナー部材は、アルミニウム合金製の鋳物又は熱可塑性ポリマ材にて形成される、ことを特徴とする防音パネル。
【発明の詳細な説明】
【技術分野】
【０００１】
この発明は、例えば建物の解体工事，改装工事，外壁工事等の建設現場において足場等に取り付けられる防音パネルに関するものである。
【背景技術】
【０００２】
一般に、建物の解体工事，改装工事，外壁工事等の建設現場においては、作業者の作業，歩行の確保及び建設資材の運搬等のために足場が設置されている。また、足場の外側には、建設現場の周辺への騒音防止，作業者及び建設資材の落下防止や建設現場の外観の向上を図るために防音パネルが取り付けられている。
【０００３】
上記防音パネルは、使用時には、建設現場に運搬されて、足場に装着された取付金具等を用いて足場の外側に係止されて防音壁を構築し、また、建物の解体工事，改装工事，外壁工事等が終了した後は、足場から取り外されて、積み重ねられた状態で、次の使用まで保管される。
【０００４】
従来のこの種の防音パネルには、補強を持たせるために、略矩形状の面板の少なくとも対向する縁部や周縁部に枠体（枠材）を取り付けたものが知られている（例えば、特許文献１，２参照）。なお、本出願（明細書及び特許請求の範囲）において、矩形とは正方形も含んで略矩形という。
【０００５】
また、不使用時にパネル同士を積み重ねる際に、パネルの前面部に突出された突出部を、枠材に設けられた積み重ね枠部に収容配置できるようにした構造が知られている（例えば、特許文献２参照）。
【特許文献１】特開２００２−２１３０４５号公報（特許請求の範囲、図１，図３，図４）
【特許文献２】実用新案登録第３１１４９４３号公報（実用新案登録請求の範囲、図３）
【発明の開示】
【発明が解決しようとする課題】
【０００６】
しかしながら、従来の特開２００２−２１３０４５号公報及び実用新案登録第３１１４９４３号公報に記載の防音パネルにおいては、いずれも面板の辺部に枠材を取り付ける額縁状の構造であり、しかも、コーナー部においては枠材をＶ字状にカットした後、折り曲げ加工するか、あるいは、枠材同士を接合するなどの加工を施す必要があるため、構造が複雑であった。また、面板の表面辺部に枠材の一部が突出した形状となるため、複数の防音パネルを取り付けて防音壁を構成した状態で、複数の面板の表面に、適宜デザインを施したフィルムシートを貼着する場合、各パネルの枠材がフィルムシートの貼着に支障をきたすと共に、貼着されたフィルムシートに凹凸状の皺等が生じ美観が損なわれるという問題があった。
【０００７】
また、パネルの積み重ね状態においては、上下のパネル間に隙間がないため、作業者は枠材を掴んで、積み重ねられたパネルからパネルを取り出さなければならず、パネルの取り出しが面倒であった。更には、不使用時に積み重ねられて保管された状態において、雨水等が面板表面に溜まり、溜まった雨水等の荷重によって面板が撓むという問題もあった。
【０００８】
この発明は上記事情に鑑みてなされたもので、表面部を平坦状にして面板に強度を持たせると共に、複数のパネルの面板同士の表面を平坦状にして、フィルムシート等の貼着を容易にし、また、面板の表面に雨水等が溜まるのを防止し、かつ、積み重ね状態からパネルの取り出しを容易にする防音パネルを提供することを課題とする。
【課題を解決するための手段】
【０００９】
上記課題を解決するために、請求項１記載の発明は、略矩形状の面板の周辺に同一方向に折曲される折曲縁を有し、面板のコーナー部における折曲縁が中間部の折曲縁に対して高く形成され、上記コーナー部の上面に、面板同士が積み重ねられる際に、上記コーナー部の折曲縁に係合可能な係止突部を有する、ことを特徴とする。
【００１０】
このように構成することにより、表面部を平坦状にして面板に強度を持たせることができると共に、複数のパネルの面板同士の表面を平坦状にして、フィルムシート等の貼着を容易にすることができる。また、積み重ね状態において、上段に位置する面板のコーナー部の折曲縁を下段に位置する面板のコーナー部の上面に設けられた係止突部を係合させてパネル同士のずれを防止することができ、かつ、積み重ね状態において、上段の面板の折曲縁と下段の面板の上面との間に隙間を形成することができる。また、面板の周辺には起立部がないので、積み重ね状態においても雨水等が面板の表面に溜まることがない。
【００１１】
この発明において、上記面板の対向する辺における上記コーナー部の折曲縁に、係止用貫通孔を設ける方が好ましい（請求項２）。
【００１２】
このように構成することにより、例えば足場に装着された取付金具のフック部等を、係止用貫通孔に貫挿することで、防音パネルを足場に取り付けることができる。
【００１３】
また、請求項３記載の発明は、略矩形状の面板と、該面板のコーナー部を形成するコーナー部材とからなり、上記面板は、切除されたコーナー部を除く周辺に同一方向に折曲される第１の折曲縁を有し、上記コーナー部材は、隣接する両辺に上記第１の折曲縁より高く形成される第２の折曲縁と、固定手段を介して上記面板のコーナー部側面部の内面及び第１の折曲縁の内面に固定され、面板表面及び第１の折曲縁表面とコーナー部材の表面及び第２の折曲縁表面とを同一面上に保持する固定片と、を有すると共に、コーナー部材の表面に、面板同士が積み重ねられる際に、上記コーナー部材の第２の折曲縁に係合可能な係止突部を有する、ことを特徴とする。
【００１４】
このように構成することにより、表面部を平坦状にして面板に強度を持たせることができると共に、複数のパネルの面板同士の表面を平坦状にして、フィルムシート等の貼着を容易にすることができる。また、積み重ね状態において、上段に位置する面板のコーナー部の第２の折曲縁を下段に位置する面板のコーナー部の上面に設けられた係止突部を係合させてパネル同士のずれを防止することができ、かつ、積み重ね状態において、上段の面板の第１の折曲縁と下段の面板の上面との間に隙間を形成することができる。また、面板の周辺には起立部がないので、積み重ね状態においても雨水等が面板の表面に溜まることがない。
【００１５】
この発明において、上記面板の対向する辺における上記コーナー部材の第２の折曲縁に係止用貫通孔を設ける方が好ましい（請求項４）。
【００１６】
このように構成することにより、例えば足場に装着された取付金具のフック部等を、係止用貫通孔に貫挿することで、防音パネルを足場に取り付けることができる。
【００１７】
また、請求項５記載の発明は、請求項１又は３記載の防音パネルにおいて、上記面板は、該面板の表面中央から辺部に向かって下り勾配の傾斜を有する、ことを特徴とする。
【００１８】
このように構成することにより、面板の中央部に膨らみを持たせることができるので、雨水等の水切りを良好にすることができると共に、面板の撓みを防止することができる。
【００１９】
また、請求項６記載の発明は、請求項１ないし５のいずれかに記載の防音パネルにおいて、上記面板は、熱可塑性ポリマ材料にて形成される、ことを特徴とする。この場合、熱可塑性ポリマ材料としては、例えばポリエチレンテレフタレート（ＰＥＴ）やポリカーボネート（ＰＣ）等を使用することができる。
【００２０】
このように構成することにより、面板と折曲縁とを容易に形成することができる。また、面板をリサイクルによって再生することができる。
【００２１】
また、請求項７記載の発明は、請求項１ないし６のいずれかに記載の防音パネルにおいて、上記面板の表面に、反射防止のための表面処理が施されている、ことを特徴とする。この場合、面板の表面を例えば梨地のような微細凹凸状に形成することにより反射防止の表面処理を施すことができる。
【００２２】
このように構成することにより、使用状態においてパネルに照射された太陽光や夜間照明等の光が反射するのを防止することができる。
【００２３】
また、請求項８記載の発明は、請求項１ないし７のいずれかに記載の防音パネルにおいて、上記面板の折曲縁の先端部に補強用部材を被着してなる、ことを特徴とする。
【００２４】
このように構成することにより、例えば運搬作業中や取付作業中に、折曲縁が障害物等に衝突しても補強用部材によって折曲縁が破損するのを防止することができる。
【００２５】
加えて、請求項９記載の発明は、請求項３又は４記載の防音パネルにおいて、上記コーナー部材は、アルミニウム合金製の鋳物又は熱可塑性ポリマ材にて形成される、ことを特徴とする。
【００２６】
このように構成することにより、係止用突部と固定片を一体に有するコーナー部材を容易に作製することができると共に、パネルのコーナー部に強度を持たせることができる。また、コーナー部材を熱可塑性ポリマ材にて形成することにより、コーナー部材と面板を同じ材質にすることができる。
【発明の効果】
【００２７】
この発明によれば、上記のように構成されているので、以下のような効果が得られる。
【００２８】
（１）請求項１，３記載の発明によれば、表面部を平坦状にして面板に強度を持たせることができると共に、複数のパネルの面板同士の表面を平坦状にして、フィルムシート等の貼着を容易にすることができるので、構造を簡単にすることができると共に、パネルの軽量化が図れ、かつ、使用状態において、各パネルの面板表面にフィルムシートを平坦状に貼着することができ、美観の向上を図ることができる。また、積み重ね状態において、上段に位置する面板のコーナー部の折曲縁を下段に位置する面板のコーナー部の上面に設けられた係止突部を係合させてパネル同士のずれを防止することができるので、パネルを安定した状態で積載することができる。また、積み重ね状態において、上段の面板の折曲縁と下段の面板の上面との間に隙間を形成することができるので、作業者は隙間に手を入れて積載されたパネルから容易にパネルを取り出すことができる。更にまた、面板の周辺には起立部がないので、積み重ね状態においても雨水等が面板の表面に溜まることがないので、雨水等の荷重によって面板が撓むことがなく、パネルの寿命の増大を図ることができる。
【００２９】
（２）請求項２，４記載の発明によれば、例えば足場に装着された取付金具のフック部等を、係止用貫通孔に貫挿することで、防音パネルを足場に取り付けることができるので、上記（１）に加えて、更にパネルを容易に足場に取り付けることができると共に、足場から容易に取り外すことができる。
【００３０】
（３）請求項５記載の発明によれば、面板の中央部に膨らみを持たせることができるので、雨水等の水切りを良好にすることができると共に、積み重ね状態において面板表面に雨水等が溜まるのを防止することができ、かつ、面板の撓みを確実に防止することができる。したがって、上記（１），（２）に加えて、更にパネルの寿命の増大を図ることができる。
【００３１】
（４）請求項６記載の発明によれば、面板を熱可塑性ポリマ材料にて形成するので、上記（１）〜（３）に加えて、更に面板と折曲縁とを容易に形成することができ、また、面板をリサイクルによって再生することができるので、資源の有効利用を図ることができる。
【００３２】
（５）請求項７記載の発明によれば、使用状態においてパネルに照射された太陽光や夜間照明等の光が反射するのを防止することができるので、上記（１）〜（４）に加えて、更に建設現場の周辺への光による弊害を防止することができる。
【００３３】
（６）請求項８記載の発明によれば、折曲縁が障害物等に衝突しても補強用部材によって折曲縁が破損するのを防止することができるので、上記（１）〜（５）に加えて、更にパネルの寿命の増大を図ることができる。
【００３４】
（７）請求項９記載の発明によれば、係止用突部と固定片を一体に有するコーナー部材を容易に作製することができると共に、面板のコーナー部に強度を持たせることができるので、コーナー部材の作製を容易にすることができると共に、パネルに強度を持たせて、寿命の増大を図ることができる。また、コーナー部材を熱可塑性ポリマ材にて形成することにより、コーナー部材と面板を同じ材質にすることができるので、防音パネルに一体感を持たせることができ、更に美観の向上が図れる。
【発明を実施するための最良の形態】
【００３５】
以下に、この発明に係る防音パネルの最良の実施形態を添付図面に基づいて詳細に説明する。
【００３６】
＜第１実施形態＞
図１は、この発明に係る防音パネルの第１実施形態の使用状態を示す概略正面図、図２は、図１のＩ−Ｉ線に沿う断面図、図３は、図１のII−II線に沿う断面図である。
【００３７】
この発明に係る防音パネル１は、図４ないし図７に示すように、略矩形状の面板１０と、該面板１０のコーナー部を形成する４つのコーナー部材２０とで主に構成されている。
【００３８】
上記面板１０は、例えばポリエチレンテレフタレート（ＰＥＴ）やポリカーボネート（ＰＣ）等の熱可塑性ポリマ材料にて形成されており、該面板１０の本体１１の４辺には、略三角状に切除されたコーナー部を除く周辺に同一方向に第１の折曲縁３１が折曲されている。なお、面板本体１１及び第１の折曲縁３１のコーナー部側位置には、後述する固定手段であるリベット４１，４２を取り付けるための複数の透孔３４が設けられている。
【００３９】
また、面板１０は透明性又は非透明性に形成されており、その表面には、中央から辺部に向かって下り勾配（θ／１００）の傾斜面１２が形成されて、面板１０の中央部に膨らみを持たせている（図４参照）。このように形成することにより、雨水等の水切りを良好にすることができると共に、面板１０の撓みを防止することができる。
【００４０】
また、図４（ｂ）に示すように、面板１０の表面には、反射防止のための表面処理例えば梨地のような微細凹凸状模様１３が施されている。このように面板１０の表面に反射防止のための表面処理を施すことにより、使用状態において防音パネル１に照射された太陽光や夜間照明等の光が反射するのを防止することができる。
【００４１】
また、図４（ｂ）に示すように、上記面板１０の第１の折曲縁３１の先端部には、例えば合成樹脂製部材からなるチャンネル状の補強用部材１４被着されている。なお、補強用部材１４は必ずしもチャンネル状に形成する必要はなく、第１の折曲縁３１の先端部側面に貼着により被着される帯状に形成したものであってもよい。このように第１の折曲縁３１の先端部に補強用部材１４を被着することにより、例えば運搬作業中や取付作業中に、第１の折曲縁３１が障害物等に衝突しても補強用部材１４によって第１の折曲縁３１が破損するのを防止することができる。
【００４２】
一方、上記コーナー部材２０は、例えばアルミニウム合金製の鋳物にて形成されており、隣接する両辺に上記第１の折曲縁３１より高く形成される第２の折曲縁３２と、固定手段例えばリベット４１，４２を介して面板１０のコーナー部側面部の内面及び第１の折曲縁３１の内面に固定され、面板表面及び第１の折曲縁表面とコーナー部材２０の表面及び第２の折曲縁表面とを同一面上に保持する固定片２１とを具備している。この場合、コーナー部材２０は、隣接する２辺に第２の折曲縁３２を有する略三角形状のコーナー部材基部２２と、このコーナー部材基部２２の残りの辺から、面板１０の厚み分の段部２３を介して延在すると共に、両第２の折曲縁３２の延長上に、第１の折曲縁３１の厚み分の段部２３を介して延在する固定片２１とからなる。なお、固定片２１には、面板１０を固定する第１のリベット４１を取り付けるための第１の透孔２４と、第１の折曲縁３１を固定する第２のリベット４２を取り付けるための第２の透孔２５が設けられている。
【００４３】
また、コーナー部材２０の表面には、面板同士が積み重ねられる際に、コーナー部材２０の第２の折曲縁３２に係合可能な略Ｌ字状の係止突部２６が突設されている。この場合、図５ないし図９に示すように、係止突部２６は、コーナー部材２０の端縁から第２の折曲縁３２の厚み分内方側に設けられている。また、係止突部２６は、先端側に向かって狭小のテーパ状に形成されている（図５（ｂ），（ｃ）及び図９参照）。
【００４４】
また、４つのコーナー部材２０における対向する第２の折曲縁３２には、長孔状の係止用貫通孔３３が設けられている。このように係止用貫通孔３３を設けることにより、図２及び図３に示すように、例えば足場５０（具体的には、足場用支柱）に装着された取付金具６０のフック部６１を、係止用貫通孔３３に貫挿することで、防音パネル１を足場すなわち足場支柱５０に取り付けることができる。なお、コーナー部材２０において、係止用貫通孔３３が設けられていない第２の折曲縁３２の外面には、例えば検査規格表示や製品番号等の表示部２７が刻印されるようになっている。
【００４５】
上記のように形成されるコーナー部材２０の固定片２１に、面板１０及び第１の折曲縁３１のコーナー部側を被着した状態で、第１及び第２のリベット４１，４２，４１を、固定片２１に設けられた第１，第２の透孔２４，２５と面板本体１１及び第１の折曲縁３１に設けられた透孔３４に貫通し、リベット４１，４２の突出端部をかしめ等によって拡径することにより、面板１０のコーナー部にコーナー部材２０を固定して防音パネル１が作製される。この場合、防音パネル１の短辺側における一方の第１及び第２の折曲縁３１，３２の外面には、例えばスポンジ製の隙間塞ぎ部材７０が添設されている。
【００４６】
上記のようにして形成された防音パネル１を使用する場合は、例えば、防音パネル１の長辺側の寸法より若干広い間隔をおいて立設された足場用支柱５０に取り付けられた取付金具６０を介して足場用支柱５０間に取り付けられる。すなわち、図１ないし図３に示すように、足場用支柱５０に取り付けられた取付金具６０のフック部６１に、防音パネルのコーナー部材２０に設けられた係止用貫通孔３３を係合することで、隣接する足場用支柱５０間に防音パネル１を取り付ける。このようにして、下段がわから順次上段側に向かって防音パネル１を取り付けて、防音壁を構築する。この際、左右に隣接する防音パネル１間の隙間は、一方の防音パネル１の短辺側に取り付けられた隙間塞ぎ部材７０によって塞がれている。
【００４７】
上記のようにして構築された防音壁において、各防音パネル１は面板１０が平坦状に形成されているので、防音壁の表面は平坦状となる。したがって、例えば各防音パネル１の面板１０表面に連続して適宜デザインを施したフィルムシート（図示せず）を平坦状に貼着することができ、防音壁の美観の向上を図ることができる。
【００４８】
また、建物の改装や外壁工事等が終了した後、足場から取り外された防音パネル１は、図８に示すように、コーナー部材２０の平面に設けられた係止突部２６に、別の防音パネル１の第２の折曲縁３２を係合させるようにして積み重ねられる。この際、係止突部２６はコーナー部材２０の端縁から第２の折曲縁３２の厚み分内方側に設けられているので、積み重ねられた防音パネル１の側面は略面一の状態になる。このようにして多段に積み重ねられた状態で、保管場所まで運搬され、次の使用まで保管される。この場合、面板１０の周辺には起立部がないので、積み重ね状態においても雨水等が面板１０の表面に溜まることがないので、雨水等の荷重によって面板１０が撓むことがない。
【００４９】
また、多段に積み重ねられた状態において、上段の防音パネル１の面板１０の第１の折曲縁３１と下段の防音パネル１の面板１０の上面との間に隙間Ｓ（図８参照）を形成することができるので、作業者は隙間に手を入れて積載された防音パネル１から容易に上方の防音パネル１を取り出すことができる。
【００５０】
＜第２実施形態＞
図１０は、この発明に係る防音パネルの第２実施形態の使用状態を示す概略正面図、図１１は、第２実施形態の防音パネルのコーナー部を示す平面図、図１２は、第２実施形態におけるコーナー部材の平面図（ａ）及び（ａ）のVII−VII線に沿う端面図（ｂ）である。
【００５１】
第２実施形態の防音パネル１Ａは、面板１０のコーナー部に略矩形状のコーナー部材２０Ａを取り付けた場合である。この場合、コーナー部材２０Ａは、隣接する両辺に面板１０に設けられた第１の折曲縁３１より高く形成される第２の折曲縁３２を有する略矩形状のコーナー部材基部２２Ａと、このコーナー部材基部２２Ａの内方側の隣接する２辺から、面板１０の厚み分の段部２３を介して延在すると共に、両第２の折曲縁３２の延長上に、第１の折曲縁３１の厚み分の段部２３を介して延在する固定片２１Ａとからなる。なお、固定片２１Ａには、面板１０を固定する第１のリベット４１を取り付けるための第１の透孔２４と、第１の折曲縁３１を固定する第２のリベット４２を取り付けるための第２の透孔２５が設けられている。
【００５２】
また、コーナー部材２０Ａの表面には、第１実施形態のコーナー部材２０と同様に、面板同士が積み重ねられる際に、コーナー部材２０の第２の折曲縁３２に係合可能な略Ｌ字状の係止突部２６が突設されている。この場合、係止突部２６は、コーナー部材２０の端縁から第２の折曲縁３２の厚み分内方側に設けられている。また、係止突部２６は、先端側に向かって狭小のテーパ状に形成されている。
【００５３】
なお、第２実施形態のコーナー部材２０Ａも第１実施形態のコーナー部材２０と同様に、例えばアルミニウム合金製の鋳物にて形成されている。
【００５４】
第２実施形態において、その他の部分は第１実施形態と同じであるので、同一部分には同一の符号を付して説明は省略する。
【００５５】
＜第３実施形態＞
図１３は、この発明に係る防音パネルの第３実施形態の使用状態を示す概略正面図、図１４は、第３実施形態の防音パネルのコーナー部を示す平面図、図１５は、第３実施形態におけるコーナー部材の平面図（ａ）及び（ａ）のVIII−VIII線に沿う端面図（ｂ）である。
【００５６】
第３実施形態の防音パネル１Ｂは、面板１０のコーナー部に略Ｌ型のコーナー部材２０Ｂを取り付けた場合である。この場合、コーナー部材２０Ｂは、隣接する両辺に面板１０に設けられた第１の折曲縁３１より高く形成される第２の折曲縁３２を有する略Ｌ字状のコーナー部材基部２２Ｂと、このコーナー部材基部２２Ｂの内方側から、面板１０の厚み分の段部２３を介して延在すると共に、両第２の折曲縁３２の延長上に、第１の折曲縁３１の厚み分の段部２３を介して延在する固定片２１Ｂとからなる。なお、固定片２１Ｂには、面板１０を固定する第１のリベット４１を取り付けるための第１の透孔２４と、第１の折曲縁３１を固定する第２のリベット４２を取り付けるための第２の透孔２５が設けられている。
【００５７】
また、コーナー部材２０Ｂの表面には、第１実施形態のコーナー部材２０と同様に、面板同士が積み重ねられる際に、コーナー部材２０の第２の折曲縁３２に係合可能な略Ｌ字状の係止突部２６が突設されている。この場合、係止突部２６は、コーナー部材２０の端縁から第２の折曲縁３２の厚み分内方側に設けられている。また、係止突部２６は、先端側に向かって狭小のテーパ状に形成されている。
【００５８】
なお、第３実施形態のコーナー部材２０Ａも第１実施形態のコーナー部材２０と同様に、例えばアルミニウム合金製の鋳物にて形成されている。
【００５９】
第３実施形態において、その他の部分は第１実施形態と同じであるので、同一部分には同一の符号を付して説明は省略する。
【００６０】
＜第４実施形態＞
図１６は、この発明に係る防音パネルの第４実施形態を示す概略斜視図である。
【００６１】
第４実施形態の防音パネル１Ｃは、上記第１ないし第３実施形態面板におけるコーナー部材２０，２０Ａ，２０Ｂを設けずに面板１０とコーナー部材とを一体に形成した場合である。すなわち、防音パネル１Ｃは、略矩形状の面板１０の周辺に同一方向に折曲される折曲縁３０を有し、面板１０のコーナー部２における折曲縁３２Ａ（上記第２の折曲縁３２に相当）が中間部の折曲縁３１Ａ（上記第１の折曲縁３１に相当）に対して高く形成されている。また、コーナー部２の上面に、面板同士が積み重ねられる際に、上記コーナー部２の折曲縁３２Ａに係合可能な略Ｌ字状の係止突部２６が設けられている。また、面板１０の対向する辺における上記コーナー部２の折曲縁３２Ａに、長孔状の係止用貫通孔３３が設けられている。
【００６２】
上記のように形成される防音パネル１Ｃは、例えばポリエチレンテレフタレート（ＰＥＴ）やポリカーボネート（ＰＣ）等の熱可塑性ポリマ材料にて形成されている。
【００６３】
なお、第４実施形態において、その他の部分は第１実施形態と同様であるので、説明は省略する。
【００６４】
第４実施形態の防音パネル１Ｃによれば、面板１０にコーナー部を一体に形成することができるので、防音パネル１Ｃに一体感を持たせることができ、美観の向上が図れる。また、防音パネルの重量を軽量化することができ、運搬及び足場に組み付けて防音壁を構築する作業及び防音壁の解体作業を容易にすることができる。
【００６５】
＜その他の実施形態＞
上記第１ないし第３実施形態においては、コーナー部材２０，２０Ａ，２０Ｂがアルミニウム合金製の鋳物にて形成される場合について説明したが、コーナー部材２０，２０Ａ，２０Ｂを面板１０と同様の材質例えばポリエチレンテレフタレート（ＰＥＴ）やポリカーボネート（ＰＣ）等の熱可塑性ポリマ材料にて形成するようにしてもよい。
【００６６】
このように構成することにより、コーナー部材２０，２０Ａ，２０Ｂがアルミニウム合金製の鋳物にて形成される場合に比べて、防音パネル１Ｃに一体感を持たせることができ、美観の向上が図れる。また、防音パネル１，１Ａ，１Ｂの重量を軽減することができ、運搬及び足場への組み付け、解体作業を容易にすることができる。
【図面の簡単な説明】
【００６７】
【図１】この発明に係る防音パネルの第１実施形態の使用状態を示す概略正面図である。
【図２】図１のＩ−Ｉ線に沿う断面図である。
【図３】図１のII−II線に沿う断面図である。
【図４】この発明に係る防音パネルの一部を断面で示す概略斜視図（ａ）及び（ａ）のIII部拡大断面図（ｂ）である。
【図５】上記防音パネルの平面図（ａ）、（ａ）のIV部拡大図（ｂ）及び（ｂ）のＶ矢視図（ｃ）である。
【図６】上記防音パネルのコーナー部を示す斜視図である。
【図７】上記防音パネルのコーナー部を示す分解斜視図である。
【図８】上記防音パネルを積み重ねた状態を示す要部断面図である。
【図９】この発明におけるコーナー部材の平面図（ａ）、正面図（ｂ）、側面図（ｃ）及び（ａ）のVI−VI線に沿う端面図（ｄ）である。
【図１０】この発明に係る防音パネルの第２実施形態の使用状態を示す概略正面図である。
【図１１】第２実施形態の防音パネルのコーナー部を示す平面図である。
【図１２】第２実施形態におけるコーナー部材の平面図（ａ）及び（ａ）のVII−VII線に沿う端面図（ｂ）である。
【図１３】この発明に係る防音パネルの第３実施形態の使用状態を示す概略正面図である。
【図１４】第３実施形態の防音パネルのコーナー部を示す平面図である。
【図１５】第３実施形態におけるコーナー部材の平面図（ａ）及び（ａ）のVIII−VIII線に沿う端面図（ｂ）である。
【図１６】この発明に係る防音パネルの第４実施形態を示す概略斜視図である。
【符号の説明】
【００６８】
１，１Ａ，１Ｂ，１Ｃ  防音パネル
２  コーナー部
１０  面板
１２  傾斜面
１３  微細凹凸状模様
１４  補強用部材
２０，２０Ａ，２０Ｂ  コーナー部材
２６  係止突部
３０  折曲縁
３１  第１の折曲縁
３１Ａ  折曲縁
３２  第２の折曲縁
３２Ａ  折曲縁
３３  係止用貫通孔
Ｓ  隙間
【図１】
2008150799.tif 000003
【図２】
2008150799.tif 000004
【図３】
2008150799.tif 000005
【図４】
2008150799.tif 000006
【図５】
2008150799.tif 000007
【図６】
2008150799.tif 000008
【図７】
2008150799.tif 000009
【図８】
2008150799.tif 000010
【図９】
2008150799.tif 000011
【図１０】
2008150799.tif 000012
【図１１】
2008150799.tif 000013
【図１２】
2008150799.tif 000014
【図１３】
2008150799.tif 000015
【図１４】
2008150799.tif 000016
【図１５】
2008150799.tif 000017
【図１６】
2008150799.tif 000018